(57)【要約】【課題】ハンディキャップを持った使用者に安心して出入口を通過させるため、引戸を開放状態に短い秒間だけ保持する引戸開閉装置を提供する。【解決手段】手動にて開作動可能な引戸１を開閉方向の任意位置にて停止保持する機械的ストッパー機構８を設け、引戸１が所定被検知位置に開かれたことを検知する検出手段と、検出手段からの電気信号を受けて作動して所定の短時間の後にストッパー解放用の電気信号を発信するタイマーと、タイマーからの電気信号を受けて作動して機械的ストッパー機構８による停止保持を解放する電気的解放手段とを、備えている。【選択図】図１
2014101656.tif 000002
【特許請求の範囲】
【請求項１】
手動にて開作動可能な引戸（１）を開閉方向の任意位置にて停止保持する機械的ストッパー機構（８）を設け、上記引戸（１）が所定被検知位置に開かれたことを検知する検出手段（６）と、該検出手段（６）からの電気信号を受けて作動して所定の短時間（Ｔ）の後にストッパー解放用の電気信号を発信するタイマー（７）と、該タイマー（７）からの電気信号を受けて作動して上記機械的ストッパー機構（８）による停止保持を解放する電気的解放手段（９）とを、備えたことを特徴とする引戸開閉装置。
【請求項２】
手動にて開作動可能な引戸（１）が所定被検知位置に開かれたことを検知する検出手段（６）と、該検出手段（６）からの電気信号を受けて作動して上記引戸（１）を開閉方向の任意位置にて停止保持する電気的ストッパー機構（１６）を設け、上記検出手段（６）からの電気信号を受けて作動して所定の短時間（Ｔ）の後にストッパー解放用の電気信号を発信するタイマー（７）とを、備え、該タイマー（７）の電気信号により上記電気的ストッパー機構（１６）を解放して上記引戸（１）の停止保持状態を解除するように構成したことを特徴とする引戸開閉装置。
【発明の詳細な説明】
【技術分野】
【０００１】
本発明は、引戸開閉装置に関する。
【背景技術】
【０００２】
従来、身体弱者または身体障害者に配慮して設計されたバリアフリートイレや介護施設等の出入口には、スライド式の引戸を手動にて開作動可能とし、かつ、手を離すと開放状態から自動的に閉作動する引戸開閉装置が設けられている（特許文献１参照）。
特許文献１記載の引戸開閉装置は、閉方向に向けて下り勾配を付けたガイドレールに引戸を吊り下げており、開放状態の引戸から手を離すと同時に、自動的に閉作動を開始するように構成されていた。
【先行技術文献】
【特許文献】
【０００３】
【特許文献１】特開２００１−８２０２３号公報
【発明の概要】
【発明が解決しようとする課題】
【０００４】
しかし、バリアフリートイレ等を使用するのは、老人や要介護者、乳児を連れた保護者、妊婦、幼児、または、車椅子や歩行器を必要とする人等、ハンディキャップを持った使用者が多く、従来の引戸開閉装置では、引戸から手を離したと同時に自動的に閉作動が始まるため、使用者が出入口を通過するのが難しい場合もあった。特に、足の不自由な使用者や車椅子に乗った使用者は、引戸から手を離してから引戸が閉まってしまうまでの間に、素早く出入口を通過することが難しく、引戸を手で押えながら室内に移動しなければならないのが非常に不便であり、使用者や車椅子に引戸が当たってしまう虞れもあった。
【０００５】
そこで、本発明は、ハンディキャップを持った使用者に安心して出入口を通過させるため、引戸を開放状態に短い秒間だけ保持する引戸開閉装置を提供することを目的とする。
【課題を解決するための手段】
【０００６】
本発明に係る引戸開閉装置は、手動にて開作動可能な引戸を開閉方向の任意位置にて停止保持する機械的ストッパー機構を設け、上記引戸が所定被検知位置に開かれたことを検知する検出手段と、該検出手段からの電気信号を受けて作動して所定の短時間の後にストッパー解放用の電気信号を発信するタイマーと、該タイマーからの電気信号を受けて作動して上記機械的ストッパー機構による停止保持を解放する電気的解放手段とを、備えたものである。
【０００７】
また、手動にて開作動可能な引戸が所定被検知位置に開かれたことを検知する検出手段と、該検出手段からの電気信号を受けて作動して上記引戸を開閉方向の任意位置にて停止保持する電気的ストッパー機構を設け、上記検出手段からの電気信号を受けて作動して所定の短時間の後にストッパー解放用の電気信号を発信するタイマーとを、備え、該タイマーの電気信号により上記電気的ストッパー機構を解放して上記引戸の停止保持状態を解除するように構成したものである。
【発明の効果】
【０００８】
本発明の引戸開閉装置によれば、使用者が引戸から手を離して出入口を通り過ぎるまでの間、引戸を開放したまま保持でき、安全に室内に入ることができる。また、引戸が開作動して検出手段に検知されてから短時間が経過した後に、引戸の停止保持状態を解除して、自動的に閉作動を開始できるため、使用者が室内に入った後は、引戸に手を触れなくても確実に出入口を閉鎖できる。
【図面の簡単な説明】
【０００９】
【図１】引戸の閉鎖状態を示した正面図である。
【図２】引戸の停止保持状態を示した正面図である。
【図３】引戸の閉作動状態を示した正面図である。
【図４】本発明の実施の一形態を示した要部拡大正面図である。
【図５】本発明の実施の一形態を示した要部拡大正面図である。
【図６】本発明の実施の一形態を示した要部拡大正面図である。
【図７】本発明の実施の一形態を示した要部拡大正面図である。
【図８】本発明の他の実施形態を示した要部拡大正面図である。
【図９】本発明の他の実施形態を示した要部拡大正面図である。
【図１０】本発明の他の実施形態を示した要部拡大正面図である。
【図１１】本発明の他の実施形態を示した要部拡大正面図である。
【図１２】本発明の別の実施形態を示した要部拡大正面図である。
【図１３】本発明の別の実施形態を示した要部拡大正面図である。
【図１４】本発明のさらに他の実施形態を示した要部拡大正面図である。
【図１５】本発明のさらに他の実施形態を示した要部拡大正面図である。
【図１６】本発明のさらに別の実施形態を示した要部拡大正面図である。
【図１７】本発明のさらに別の実施形態を示した要部拡大正面図である。
【図１８】本発明のさらに別の実施形態を示した要部拡大正面図である。
【発明を実施するための形態】
【００１０】
以下、実施の形態を示す図面に基づき本発明を詳説する。
図１〜図３に示すように、本発明の引戸開閉装置は、バリアフリートイレや病院、介護施設、学校等の室内への出入口Ｅに設けられた引戸１を手動にて開放状態とし、かつ、手を離すと開放状態から自動的に閉作動するように構成されている。
図４〜図７に於て、本発明の引戸開閉装置は、手動にて開作動可能な引戸１を開閉方向の任意位置にて停止保持する機械的ストッパー機構８を設け、引戸１が所定被検知位置に開かれたことを検知する検出手段６と、検出手段６からの電気信号を受けて作動して所定の短時間Ｔの後にストッパー解放用の電気信号を発信するタイマー７と、タイマー７からの電気信号を受けて作動して機械的ストッパー機構８による停止保持を解放する電気的解放手段９とを、備えている。
なお、本発明に於て、（開閉方向の）任意位置とは、引戸１を開方向に一杯まで移動させて出入口Ｅがほぼ全開放された全開放位置、乃至、車椅子に乗った使用者が通過できる程度に引戸１を開方向の中間位置に移動させて出入口Ｅが途中まで開放された半開放位置を包含するものとする。
【００１１】
引戸１は、出入口Ｅの上枠Ｆに固着されたガイドレールに吊り下げられ（図示省略）、かつ、床面に設けられたガイドローラ（図示省略）によって下端が揺動しないように開閉方向にスライド自在に案内されている。ガイドレールは、引戸１が出入口Ｅを閉鎖する方向に移動力を常時付与している。具体的には、閉方向に緩やかな下り勾配をつけて取り付ける、または、引戸１にワイヤーを介して取付けたウェイトにより閉方向に引っ張る等の従来から用いられてきた構造で良い。引戸１には、使用者が手で持って開閉操作するためのハンドル４，４が取付けられており、このハンドル４，４は、立ったままの健常者、または、車椅子に乗った使用者や子供等の双方が、容易に操作できるように、高い位置と低い位置に複数個設けられているのが好ましい。
引戸１には、その上端部に複数の三角山部から成るラチェット段部１０が設けられている。図４〜図７に示すように、ラチェット段部１０は、三角山部の各々に、鉛直状の係止壁部１０Ａが一端側に立設され、他端側には緩やかな傾斜面を有する傾斜壁部１０Ｂが形成されている。ラチェット段部１０は、引戸１の戸収納部側端縁部から所定の長さ寸法Ｌ離れた開閉方向中間位置から開口部側端縁部にわたって形成されている（図１参照）。ラチェット段部１０は、最も戸収納部側に近い位置に、上端縁からの深さ寸法Ｄ２が（その他の三角山部間の谷部の深さ寸法Ｄ１より）大きく設定された深谷部１０Ｃが形成されている。
【００１２】
機械的ストッパー機構８は、上枠Ｆに揺動自在に枢着された係止アーム部材２を有している。係止アーム部材２は、基端部に後述の電気モーター（電気的解放手段９）の駆動軸が連結され、かつ、先端部にローラ３が転動自在に取付けられている。機械的ストッパー機構８は、引戸１が開作動する際には、ローラ３が転動しつつラチェット段部１０を乗り越えて開方向にスムーズに移動し、かつ、引戸１が閉作動しようとする際には、ローラ３がラチェット段部１０の係止壁部１０Ａに係止して閉方向への移動を阻止して、引戸１を停止保持する。
検出手段６は、係止アーム部材２が下方にある一定の角度揺動したことを感知するためのセンサーであって、係止アーム部材２の先端部に取付けたローラ３が深さ寸法Ｄ２の深谷部１０Ｃに落ち込んだことを検知するとタイマー７に電気信号を発信する。
タイマー７は、デジタル式又はアナログ式のどちらであっても良く、検出手段６からの電気信号を受けて作動し、所定の短時間Ｔが経過した後にストッパー解放用の電気信号を発信する。なお、本発明に於て、タイマー７の設定時間（短時間Ｔ）は、使用者が引戸から手を離して出入口を通り過ぎるまでの十分な時間があれば良く、具体的には、５秒間〜１５秒間に設定するのが望ましい。
電気的解放手段９は、電気モーターから成り、タイマー７からの電気信号を受けて作動し、ローラ３がラチェット段部１０との係止を解除するように、１０秒間から３０秒間にわたって係止アーム部材２を上方へ揺動させてローラ３をラチェット段部１０の上方へ持ち上げる。
【００１３】
上述した本発明の引戸開閉装置の使用方法（作用）について説明する。
図１，図２に示すように、引戸１を（手動により）開方向に開移動して、出入口Ｅが全面的乃至途中まで開放された状態とする。この際、図４に示すように、係止アーム部材２は、（自重により又は下方への弾発力より）ローラ３を引戸１の上端部に押圧して、引戸１が所定の長さ寸法Ｌにわたって開かれると、ローラ３がラチェット段部１０の深谷部１０Ｃに落下して検出手段６が反応する。つまり、ローラ３が深谷部１０Ｃの深さ寸法Ｄ２まで落ちることで、検出手段６は、引戸１が所定被検知位置に開かれたと検知するのである。
【００１４】
図５に示すように、ローラ３が傾斜壁部１０Ｂを転がって登り、ラチェット段部１０を次々と乗り越え、さらに引戸１を開作動させ、そして、任意位置にて引戸１のハンドル４から手を離すと、ローラ３がラチェット段部１０の係止壁部１０Ａに係止して引戸１を停止保持する。このように、機械的ストッパー機構８は、引戸１を（開閉方向の途中位置乃至全開放位置の）任意位置で保持する。
そして、引戸１が所定被検知位置に開かれたことが検知されてから５秒〜１５秒（短時間Ｔ）が経過すると、タイマー７から電気的解放手段９に電気信号が発信され、電気モーターの駆動力により係止アーム部材２を上方に揺動させる（図６参照）。図３に示すように、ローラ３がラチェット段部１０の上方に持ち上げられて引戸１の停止保持状態が解除され、引戸１が閉作動可能となる。
図７に示すように、電気的解放手段９が作動してから１０秒〜３０秒が経過すると、電気モーターの駆動力が解放されて、係止アーム部材２は、（自重により又は下方への弾発力より）ローラ３を引戸１に押し付けた状態に戻る。
【００１５】
次に、本発明の引戸開閉装置の他の実施形態について説明する。
図８〜図１１に於て、機械的ストッパー機構８は、上端部にヘッド１２Ａを有する金属製の係止ピン部材１２を備え、この係止ピン部材１２を上枠Ｆに固着したハウジング１１によって昇降自在に保持している。係止ピン部材１２は、ヘッド１２Ａから下方に延びる軸部１２Ｂを有し、この軸部１２Ｂの下端寄りには外鍔部１２Ｃが形成され、かつ、軸部１２Ｂの下端部にはローラ１３が転動自在に取付けられている。係止ピン部材１２は、円錐形のコイルバネから成る弾発部材１５によって下方に弾発付勢されている。
ハウジング１１の内部には、電磁石１４が固着され、この電磁石１４に電流を流すことで係止ピン部材１２のヘッド１２Ａを吸着し、弾発部材１５の弾発力に抗して係止ピン部材１２を上昇させる。つまり、図８〜図１１では、電気的解放手段９がソレノイド式であって、電磁石１４と、電磁石１４に電気的に接続されたバッテリーユニットＶをもって構成されている。
【００１６】
検出手段６は、ハウジング１１の上下方向中間位置に取着され、係止ピン部材１２が引戸１側のラチェット段部１０に押上げられてヘッド１２Ａが所定高さまで上昇したことを検知するとタイマー７に電気信号を発信する（図９参照）。
タイマー７は、デジタル式又はアナログ式のどちらであっても良く、検出手段６からの電気信号を受けて作動し、所定の短時間Ｔが経過した後にストッパー解放用の電気信号を発信する（図１０参照）。
電気的解放手段９は、タイマー７からの電気信号を受けてバッテリーユニットＶから電磁石１４に電流を流し（図１１参照）、ローラ１３がラチェット段部１０の谷部に係止しないように、１０秒間から３０秒間にわたって係止ピン部材１２を上昇させローラ３を持ち上げて引戸１の停止保持状態を解除する。
【００１７】
図１２と図１３は、本発明の別の実施形態を示している。
本発明の引戸開閉装置は、手動にて開作動可能な引戸１が所定被検知位置に開かれたことを検知する検出手段６と、検出手段６からの電気信号を受けて作動して引戸１を開閉方向の任意位置にて停止保持する電気的ストッパー機構１６を設け、検出手段６からの電気信号を受けて作動して所定の短時間Ｔの後にストッパー解放用の電気信号を発信するタイマー７とを、備え、タイマー７の電気信号により電気的ストッパー機構１６を解放して引戸１の停止保持状態を解除するように構成している。
【００１８】
図１２と図１３に於て、上枠Ｆにハウジング２０が固着され、このハウジング２０に係止部材２１が昇降自在に保持されている。係止部材２１は、上端部に断面門型のヘッド２１Ａを有し、このヘッド２１Ａから下方に延びる軸部２１Ｂと、軸部２１Ｂの下端部には緩衝用円筒部材２２を介してローラ２３が転動自在に取付けられている。
係止部材２１は、円錐形のコイルばね１７（機械的解放手段１７）により常時上方へ弾発付勢されてヘッド２１Ａがハウジング２０の天井面に押し付けられている（図１２参照）。
【００１９】
検出手段６は、上枠Ｆに固着され、引戸１に取付けられた反射板部２５が対面位置に移動してきたことを検知すると電気的ストッパー機構１６及びタイマー７に電気信号を発信する。
電気的ストッパー機構１６は、検出手段６に電気的に接続されると共にタイマー７を内蔵した電磁弁ユニット１９と、電磁弁ユニット１９に電気的に接続された電磁石１８と、をもって構成されている。電気的ストッパー機構１６は、引戸１が所定被検知位置に開かれたことを検知した検出手段６からの電気信号を受けると、タイマー７を作動させ、かつ、電磁石１８に電流を流してヘッド２１Ａを吸着し、（コイルばね１７の弾発付勢力に抗して）係止部材２１を下方へ降下させる（図１３参照）。こうして、係止部材２１が降下すると、ローラ２３が引戸１のラチェット段部１０に係止して、引戸１が開作動する際には開方向にスムーズに移動が可能であり、引戸１が閉作動しようとする際には、ローラ２３がラチェット段部１０の係止壁部１０Ａに係止して閉方向への移動を阻止し、引戸１を停止保持する。
【００２０】
タイマー７は、検出手段６からの電気信号を受けて５秒〜１５秒（短時間Ｔ）が経過すると、電磁弁ユニット１９から電磁石１８への電流を遮断させるための電気信号を発信する。タイマー７が作動して電気信号により電気的ストッパー機構１６が解放されると、コイルばね１７の弾発付勢力によって係止部材２１が上方へ持ち上げられ、引戸１の停止保持状態が解除されるように構成されている。
【００２１】
また、図１４と図１５は、本発明のさらに他の実施形態を示している。
機械的ストッパー機構８は、上枠Ｆに設置された搬送機構３０のベルト部材Ｂに取付けられている。機械的ストッパー機構８は、ベルト部材Ｂに固着された取付部材３２と、取付部材３２に枢着された係止アーム部材２と、取付部材３２に固着され係止アーム部材２を下向きに弾発付勢するばね部材３３とを、有している。係止アーム部材２の先端部には、ローラ３が転動自在に取付けられている。なお、取付部材３２には、ストッパーが設けられ、係止アーム部材２がある一定の角度以上に下方に揺動しないように構成されている。引戸１の構成は、上述の図４〜図７と同様である。
図１４に於て、機械的ストッパー機構８は、引戸１が開作動する際には、ローラ３が転動しつつラチェット段部１０を乗り越えて開方向にスムーズに移動し、かつ、引戸１が閉作動しようとする際には、ローラ３がラチェット段部１０の係止壁部１０Ａに係止して閉方向への移動を阻止して、引戸１を停止保持する。
【００２２】
搬送機構３０は、上流側ローラ３１Ａと、下流側ローラ３１Ｂとを、有し、上流側ローラ３１Ａに電気モーター（電気的解放手段９）の駆動軸が連結され、ベルト部材Ｂに送りを与えて（ローテーションさせて）、機械的ストッパー機構８を図中左斜め上方へスライド移動させるように構成されている。
検出手段６は、取付部材３２に取付けられ、引戸１が所定被検知位置に開かれたことを検知するとタイマー７に電気信号を発信する。
【００２３】
図１５に示すように、タイマー７は、検出手段６からの電気信号を受けて作動し、所定の短時間Ｔが経過した後に電気的解放手段９に電気信号を発信する。
電気的解放手段９は、電気モーターから成り、タイマー７からの電気信号を受けて作動し、ローラ３がラチェット段部１０との係止を解除するように、１０秒間から３０秒間にわたって機械的ストッパー機構８を左斜め上方へスライドさせてローラ３をラチェット段部１０の上方へ持ち上げる。
なお、取付部材３２を直線往復案内させるために、（図示省略の）往復リニアガイド部材を設けるも好ましい。また、図１４と図１５に示すベルト部材Ｂに替えて、チェーンを用いても良い。
この構成によれば、タイマー７が作動した際、ローラ３が係止壁部１０Ａに引っ掛かって引戸１が閉作動しなくなるという故障を防止でき、ローラ３とラチェット段部１０との係止を確実に解除でき、故障を少なくできる。
【００２４】
図１６〜図１８に於て、機械的ストッパー機構８は、上枠Ｆに固着された固定部材４０と、固定部材４０にスライド自在に保持される可動部材４１とを、有している。可動部材４１には、係止アーム部材４２、及び、揺動部材４４が枢着されている。係止アーム部材４２の先端部には、ローラ４３が転動自在に取付けられ、揺動部材４４の先端部には、ノッチ４４Ａが形成されている。
図１６では、機械的ストッパー機構８は、引戸１が開作動する際には、ローラ４３が転動し、かつ、係止アーム部材４２が上下揺動しつつ、ラチェット段部１０を乗り越えて開方向にスムーズに移動し、かつ、引戸１が閉作動しようとする際には、ローラ４３がラチェット段部１０の係止壁部１０Ａに係止して閉方向への移動を阻止して、引戸１を停止保持する。
【００２５】
引戸１が所定被検知位置に開かれたことを、検出手段６によって、検知すると、検出手段６からタイマー７に電気信号を発信する。
タイマー７は、検出手段６からの電気信号を受けて作動し、所定の短時間Ｔが経過した後に電気的解放手段９に電気信号を発信する。
電気的解放手段９は、電気モーターから成り、タイマー７からの電気信号を受けて作動する。電気的解放手段９（電気モーター）の駆動軸には、円盤状の回転体４９が連結されている。回転体４９は、その外周縁部にピン４９Ａが突設されている。電気的解放手段９は、回転体４９を、図１７に矢印で示すように時計回りに回転させて、ピン４９Ａを揺動部材４４のノッチ４４Ａに係合し、揺動部材４４を引っ張って可動部材４１を斜め左上方向にスライド移動させるように構成されている。このようにして、ローラ４３がラチェット段部１０との係止を解除し、引戸１の閉方向への移動が可能となる。
【００２６】
また、固定部材４０には、ロック機構４５が設けられている。ロック機構４５は、固定部材４０に形成された窓部に枢着されるＬ字状の揺動片４６を備えている。揺動片４６は、捩じりコイルばねによって弾発付勢されており、その一端部が、固定部材４０の内方へ入り込むように弾発力が付与されている。図１６に於て、揺動片４６は、ローラ４３とラチェット段部１０が係止している状態では、可動部材４１に摺接しているが、図１７に示すように、ローラ４３がラチェット段部１０との係止を解除した状態に於て、可動部材４１に係止してローラ４３が下がってこないように保持している。即ち、タイマー７が作動して、電気モーターで可動部材４１を斜め左上方向にスライド移動させると、ロック機構４５によって、ローラ４３がラチェット段部１０との係止を解除した状態、つまり、引戸１が開閉可能な状態を維持するように構成されている。従って、引戸１を、極めて軽い力で開閉することができる。
【００２７】
図１８に示すように、引戸１が一旦閉鎖され、再び開かれて、所定被検知位置に移動してきた際に、引戸１側に設けたロック解除手段５０が、揺動片４６の他端部を引っ掛けて、弾発力に抗して揺動片４６を強制的に揺動させる。この際、可動部材４１と揺動片４６の係止が解除されると共に、可動部材４１は自重により右斜め下方にスライドして、ローラ４３がラチェット段部１０に干渉する位置に下がる。従って、使用者が引戸１から手を離すと、引戸１は任意位置で開放したまま停止保持されるのである。
なお、図１８に於て、ローラ４３とロック解除手段５０は、相互に干渉しない位置関係で配設されているものとする。
【００２８】
なお、本発明は、ユニット化して既設の建物の出入口に設置するも良い。この際、電気供給源としては、一般用のコンセントに接続するか、又は、乾電池を含ませた構成とするのが好ましい（図示省略）。
また、図１〜図３に於て、長さ寸法Ｌは、５００ｍｍ〜８００ｍｍに設定するのが望ましい。より好ましくは、Ｌ＝６００ｍｍとする。この長さ寸法Ｌは、引戸１が開作動して検出手段６に検知される所定被検知位置を設定するものであって、車椅子に乗った使用者等が通過できる程度に引戸１が開放される位置に設定するのが望ましい。
なお、本発明に於て、引戸１の上端面に、ブレーキシューを押圧して摩擦抵抗によって停止保持する構成としても良い（図示省略）。
【００２９】
以上のように、本発明に係る引戸開閉装置は、手動にて開作動可能な引戸１を開閉方向の任意位置にて停止保持する機械的ストッパー機構８を設け、引戸１が所定被検知位置に開かれたことを検知する検出手段６と、検出手段６からの電気信号を受けて作動して所定の短時間Ｔの後にストッパー解放用の電気信号を発信するタイマー７と、タイマー７からの電気信号を受けて作動して機械的ストッパー機構８による停止保持を解放する電気的解放手段９とを、備えたので、使用者が引戸１から手を離して出入口Ｅを通り過ぎるまでの間、引戸１を開放状態で停止したまま保持でき、安全に室内に入ることができる。また、引戸１が開作動して検出手段６に検知されてから短時間Ｔが経過した後に、引戸１の停止保持状態を解除して、自動的に閉作動を開始できるため、使用者が室内に入る時間を十分に確保でき、その後、引戸１に手を触れなくても確実に出入口Ｅを閉鎖できる。
【００３０】
また、手動にて開作動可能な引戸１が所定被検知位置に開かれたことを検知する検出手段６と、検出手段６からの電気信号を受けて作動して引戸１を開閉方向の任意位置にて停止保持する電気的ストッパー機構１６を設け、検出手段６からの電気信号を受けて作動して所定の短時間Ｔの後にストッパー解放用の電気信号を発信するタイマー７とを、備え、タイマー７の電気信号により電気的ストッパー機構１６を解放して引戸１の停止保持状態を解除するように構成したので、使用者が引戸１から手を離して出入口Ｅを通り過ぎるまでの間、引戸１を開放状態で停止したまま保持でき、安全に室内に入ることができる。また、引戸１が開作動して検出手段６に検知されてから短時間Ｔが経過した後に、引戸１の停止保持状態を解除して、自動的に閉作動を開始できるため、使用者が室内に入る時間を十分に確保できる。停電や電池切れとなった場合でも、引戸１を確実に閉作動させることができ、安全に出入口Ｅを閉鎖できる。
【符号の説明】
【００３１】
１  引戸
６  検出手段
７  タイマー
８  機械的ストッパー機構
９  電気的解放手段
１６  電気的ストッパー機構
Ｔ  短時間
【図１】
2014101656.tif 000003
【図２】
2014101656.tif 000004
【図３】
2014101656.tif 000005
【図４】
2014101656.tif 000006
【図５】
2014101656.tif 000007
【図６】
2014101656.tif 000008
【図７】
2014101656.tif 000009
【図８】
2014101656.tif 000010
【図９】
2014101656.tif 000011
【図１０】
2014101656.tif 000012
【図１１】
2014101656.tif 000013
【図１２】
2014101656.tif 000014
【図１３】
2014101656.tif 000015
【図１４】
2014101656.tif 000016
【図１５】
2014101656.tif 000017
【図１６】
2014101656.tif 000018
【図１７】
2014101656.tif 000019
【図１８】
2014101656.tif 000020